(57)【要約】【課題】高倍率でありながら、小型・薄型化を達成し、沈胴時の駆動動作を高速化したレンズ鏡筒及び撮像装置を提供する。【解決手段】ズーム用のレンズホルダーを光軸方向に移動するカム筒２０を回転させるため、光軸方向の移動が制止された状態で回転するよう回転筒６０を装着する。回転筒６０の筒内に光軸方向に移動されるフォーカスレンズホルダー９０と、回転筒６０の筒外に配置されたフォーカス動作機構とを備える。回転筒６０の一部に、フォーカスレンズホルダー９０の繰り出し量以上の範囲に渡って形成された切り欠き部６０ｄを通した腕部によって、フォーカスレンズホルダー９０とフォーカス動作機構とを接続する。腕部を移動させてフォーカス動作を行わせる。回転筒６０の回転に伴って、フォーカスレンズホルダー９０を沈胴動作させるため切り欠き部６０ｄの一部にカム部６０ｅを設ける。【選択図】図４
2011039387.tif 000002
【特許請求の範囲】
【請求項１】
ズーム用のレンズを備えたレンズホルダーを光軸方向に移動してズーム動作を行わせるためのカム筒と、
前記カム筒を回転させるため、駆動源から回転駆動力が伝達され、光軸方向の移動が制止された状態で回転するよう装着された回転筒と、
前記回転筒の筒内に光軸方向に移動可能に配置されたフォーカスレンズホルダーと、
前記回転筒の筒外に配置されたフォーカス動作機構と、
前記回転筒の一部に、光軸方向に対してフォーカスレンズホルダーの繰り出し量以上の範囲に渡って形成された切り欠き部と、
前記フォーカスレンズホルダーから延出し、前記切り欠き部を通して前記フォーカス動作機構に接続し、前記切り欠き部の範囲内で移動して前記フォーカスレンズホルダーを光軸方向に移動させてフォーカス動作を行わせる腕部と、
前記回転筒を沈胴動作のため回転させた際に、前記腕部を従動させて前記フォーカスレンズホルダーを沈胴動作させるため、前記切り欠き部の一部をカム辺にして構成されたカム部と、
を備えること特徴としたレンズ鏡筒。
【請求項２】
請求項１記載のレンズ鏡筒を備えたことを特徴とする撮像装置。
【発明の詳細な説明】
【技術分野】
【０００１】
本発明は、レンズ鏡筒及び撮像装置に関する。
【背景技術】
【０００２】
一般に、デジタルカメラ等の撮像装置では、低価格化、高倍率化及び小型・薄型化が求められている。
【０００３】
撮像装置で高倍率化を図るためには、レンズ間の距離を長くする必要があるのでレンズ鏡筒の駆動量を増やさなければならない。このため撮像装置では、レンズ駆動カムを伸長して構成し又は鏡筒段数を増加させるよう構成して高倍率化を図ろうとすると、レンズ鏡筒の光軸方向、半径方向に大型化を招いてしまう。
【０００４】
そこで、従来の撮像装置では、高倍率でありながら光軸方向の寸法を縮小し、半径方向の寸法の増大も抑制するレンズ鏡筒の構成が提案されている（例えば、特許文献１参照）。このような従来の撮像装置では、フォーカスレンズの駆動機構を、レンズ鏡筒の内部に配置するのが普通であるので、この駆動機構がレンズ鏡筒の光軸方向、径方向の寸法を決定する要因の一つとなっている。
【０００５】
また、従来の撮像装置では、位置検出等の制御機構を備えたレンズ鏡筒機構を小型化するための構成が提案されている（例えば、特許文献２参照）。
【先行技術文献】
【特許文献】
【０００６】
【特許文献１】特開２００５−０９１７８２号公報
【特許文献２】特開２００６−０５８８１８号公報
【発明の概要】
【発明が解決しようとする課題】
【０００７】
しかしながら、従来の撮像装置で提案されているようにフォーカスモータをレンズ鏡筒内部に配置し、それを避けてレンズユニット等を配置するよう構成する場合には、レンズ鏡筒の半径方向の寸法を縮小するのに限界がある。さらに、フォーカスモータをレンズ鏡筒内部に配置した撮像装置では、沈胴時にフォーカスモータのリードスクリューを避けるように構成しなければならないので、光軸方向の寸法を縮小するのに限界がある。
【０００８】
また、従来の提案されている位置検出用の制御機構を備えたレンズ鏡筒機構を小型化する構成では、レンズユニット同士を当接させた状態で移動させることにより位置検出手段を共用させ、レンズ鏡筒機構を小型化している。
【０００９】
しかしながら、このレンズ鏡筒機構では、レンズユニットが主にカム機構もしくは、ステッピングモータにより駆動されるように構成されている。このため、このレンズ鏡筒機構では、レンズユニットがカム溝から脱落することを防ぎ、ステッピングモータが脱調することを防ぐ必要がある。
【００１０】
このため、このレンズ鏡筒機構では、レンズユニット同士を当接させた状態にして、高速で移動させることが難しいという問題がある。
【００１１】
本発明の目的は、被写体を高倍率で撮影でき、小型・薄型化を達成でき、しかも高速で沈胴動作ができるレンズ鏡筒及び撮像装置を提供することにある。
【課題を解決するための手段】
【００１２】
上記目的を達成するために、本発明のレンズ鏡筒は、ズーム用のレンズを備えたレンズホルダーを光軸方向に移動してズーム動作を行わせるためのカム筒と、前記カム筒を回転させるため、駆動源から回転駆動力が伝達され、光軸方向の移動が制止された状態で回転するよう装着された回転筒と、前記回転筒の筒内に光軸方向に移動可能に配置されたフォーカスレンズホルダーと、前記回転筒の筒外に配置されたフォーカス動作機構と、前記回転筒の一部に、光軸方向に対してフォーカスレンズホルダーの繰り出し量以上の範囲に渡って形成された切り欠き部と、前記フォーカスレンズホルダーから延出し、前記切り欠き部を通して前記フォーカス動作機構に接続し、前記切り欠き部の範囲内で移動して前記フォーカスレンズホルダーを光軸方向に移動させてフォーカス動作を行わせる腕部と、前記回転筒を沈胴動作のため回転させた際に、前記腕部を従動させて前記フォーカスレンズホルダーを沈胴動作させるため、前記切り欠き部の一部をカム辺にして構成されたカム部と、を備えること特徴とする。
【発明の効果】
【００１３】
本発明によれば、被写体を高倍率で撮影でき、小型・薄型化を達成でき、しかも高速で沈胴動作ができるレンズ鏡筒及び撮像装置を提供できるという効果がある。
【図面の簡単な説明】
【００１４】
【図１】本発明の実施の形態に係わるレンズ鏡筒に用いる回転筒を取り出して示す斜視図である。
【図２】本発明の実施の形態に係わるレンズ鏡筒を搭載したコンパクトデジタルスチルカメラを示す概略斜視図である。
【図３】本発明の実施の形態に係わるレンズ鏡筒の外観斜視図である。
【図４】本発明の実施の形態に係わるレンズ鏡筒の分解斜視図である。
【図５】本発明の実施の形態に係わるレンズ鏡筒に用いるベース部材ユニットの分解斜視図である。
【図６】本発明の実施の形態に係わるレンズ鏡筒に用いる回転筒とフォーカスレンズホルダーを示す正面図である。
【図７】本発明の実施の形態に係わるレンズ鏡筒に用いるフォーカスレンズホルダー、ガイド部材及びフォトセンサの側面図である。
【図８】本発明の実施の形態に係わるレンズ鏡筒に用いる回転筒の説明図である。
【図９】レンズ鏡筒の動作モードの説明図であり、（ａ）は通常の撮影可能位置から電源ＯＦＦ操作により、ズーム繰込み動作が行われる際の状態を示す。（ｂ）は、回転筒のカム部とフォーカスレンズホルダーの当接部とが当接した状態を示す。（ｃ）は、沈胴位置まで回転筒によって押し込まれた状態を示す。（ｄ）は、電源ＯＦＦ時の処理が終了した状態を示す。
【図１０】（ａ）は、フォトセンサを２つ使用した場合における電源ＯＮ時の動作フローチャートであり、（ｂ）は、フォトセンサを共用した場合における電源ＯＮ時の動作フローチャートである。
【発明を実施するための形態】
【００１５】
以下、本発明のレンズ鏡筒及び撮像装置の実施の形態に係わるレンズ鏡筒を搭載したコンパクトデジタルスチルカメラについて図面を参照しながら説明する。
【００１６】
図２の概略斜視図に示すように、このレンズ鏡筒を搭載したコンパクトデジタルスチルカメラ１００は、厚さ方向に分割されたカメラ本体部１１０と表示部１２０とで構成されている。
【００１７】
このカメラ本体部１１０には、レンズ鏡筒１が装着され、メインスイッチ１１１、撮影スイッチ１１２、ズームレバー１１３、光学式ファインダ対物窓１１４、測光用受光窓１１５及びフラッシュ発光部１１６が配置されている。
【００１８】
このメインスイッチ１１１は、電源の投入および遮断を切り替えるスイッチである。撮影スイッチ１１２は、半押し操作によって測光、測距（ＡＦ）等の撮影準備動作を行わせ、全押し操作によって画像の撮影および記録を行わせるスイッチである。ズームレバー１１３は、回転操作することで、レンズ鏡筒１にズーム動作を行わせる。
【００１９】
次に、図３、図４、図６を参照してレンズ鏡筒について説明する。
【００２０】
図３はレンズ鏡筒１の外観斜視図であり、レンズ鏡筒１はズーム駆動を行うためのズームモータ８１と、フォーカスレンズホルダー９０を駆動するためのフォーカスモータ８９を備える。これらズームモータ８１とフォーカスモータ８９とは、それぞれレンズ鏡筒１の外側に配置されている。
【００２１】
要するに、このレンズ鏡筒１では、回転筒６０の内側（筒内）にフォーカスレンズホルダー９０を配置する。回転筒６０の外側（筒外）には、フォーカス動作機構を配置する。このレンズ鏡筒１では、フォーカスレンズホルダー９０とフォーカス動作機構とを、回転筒６０の切り欠き部６０ｄを通して腕部９０ａで接続して構成する。このように構成することにより、回転筒６０の外側（筒外）のフォーカス動作機構によって、回転筒６０の内側（筒内）のフォーカスレンズホルダー９０を移動してフォーカス動作を行うものである。
【００２２】
なお、図示は省略するが、レンズ鏡筒１には撮影光学系により形成された、被写体像を光電変換するＣＣＤセンサ、ＣＭＯＳセンサ等の撮像素子が搭載されている。
【００２３】
図４のレンズ鏡筒の分解斜視図において、１０は、被写体に最も近いレンズ（ズーム用のレンズ）を保持する保持部材としての第１レンズホルダー１０である。この第１レンズホルダー１０の外周上の中心角１２０°で３等分に分割された各位置には、カムフォロア１０ａが配置されている。
【００２４】
この図４で、２０は、第１レンズホルダー１０と第２レンズホルダー４０を駆動するためのカム筒であり、その外周上の３分割位置に、それぞれカムフォロア２０ａと駆動ピン２０ｂが突設されている。
【００２５】
この図４で、３０は、第１レンズホルダー１０と第２レンズホルダー４０の移動を光軸方向に規制する直進筒である。これらカム筒２０と直進筒３０は、バヨネット機構により連結され、光軸方向に一体となって移動し、光軸中心に対しては相対回転可能に保持されている。
【００２６】
また、第２レンズホルダー４０には、レンズ（ズーム用のレンズ）の他にシャッター機構、絞り機構等が搭載されている。これらのシャッター機構、絞り機構等には、フレキシブルプリント基板４１を介して、図示しない電源から電力が供給される。
【００２７】
このフレキシブルプリント基板４１は、カバー部材５０、回転筒６０、固定筒７０にそれぞれ設けられた、通し穴を通り、カバー部材５０に固定された不図示のフレキシブル基板と連結する。なお、シャッター駆動機構、制御機器及びフレキシブルプリント基板は、一般に用いられているものを利用しているので、これらの詳しい説明は省略する。
【００２８】
さらに、第２レンズホルダー４０には、その外周上の中心角１２０°で３等分に分割された各位置に、カムフォロア４０ａが配置されている。
【００２９】
この図４で、６０は回転筒であり、７０は固定筒である。この回転筒６０は、カム筒を回転させるためのものであり、光軸方向に移動しないよう一定の位置を保ち、その場で回転するように装着されるもので、外周にギア部６０ａが設けられている。
【００３０】
また、固定筒７０は、カム筒を光軸方向に駆動するためのものであり、カム筒２０の外周側に配置された状態でベース部材８０に固定されている。
【００３１】
これら回転筒６０と固定筒７０とは、相対的に回転可能に支受されており、カバー部材５０によって光軸方向の移動が制止されている。
【００３２】
図６の正面図に示すように、このレンズ鏡筒では、回転筒６０の中空内部にフォーカスレンズホルダー９０が臨むように配置される。また、このレンズ鏡筒では、回転筒６０の外周側に、フォトセンサ８５ａが臨むようにカバー部材５０に固定して配置されている。このフォトセンサ８５ａは、コの字形状を形成している一方の腕部から光が投光され、もう一方の腕部で受光するよう構成されている。このフォトセンサ８５ａは、コの字形状の間を、回転筒６０に設けられた遮断部６０ｂが通過して光を遮断することで、ズーム動作の位置検出を行う。
【００３３】
次に、図５に示すベース部材ユニットの分解斜視図を参照して、ズーム駆動系について説明する。
【００３４】
図５に示すように、ベース部材８０には、駆動源であるズームモータ８１が固定されている。ズームモータ８１の回転軸には、ウォームギア８２が取り付けられている。ウォームギア８２は、ギア列８３と連結し、回転筒６０のギア部６０ａと噛みあうことで、ズームモータ８１の回転駆動力が伝達されて回転筒６０が回転される。
【００３５】
このギア列８３は、ベース部材８０に取り付けられ、同じくベース部材８０に取り付けられるギアカバー８４によって光軸方向のガタが規制されている。
【００３６】
次に、このレンズ鏡筒におけるズーム動作を行うための構成について説明する。
【００３７】
このレンズ鏡筒では、第１レンズホルダー１０のカムフォロア１０ａを、直進筒３０の直進溝孔部３０ａを貫通して、カム筒２０の内周面に設けられたカム溝２０ｃに嵌合させるよう構成する。これと共に、第２レンズホルダー４０のカムフォロア４０ａが、直進筒３０の直進溝孔部３０ｂを貫通して、カム筒２０の内周面に設けられたカム溝２０ｄに嵌合するよう構成する。
【００３８】
また、カム筒２０のカムフォロア２０ａは、固定筒７０の内周面に設けられたカム溝７０ａと嵌合するよう構成する。また、カム筒２０の駆動ピン２０ｂは、固定筒７０に設けられた溝孔部７０ｂを貫通して、固定筒７０の外側に配置された回転筒６０の直進溝６０ｃと嵌合するよう構成する。
【００３９】
上述のように構成したレンズ鏡筒では、ユーザによるズーム動作の指令を受けた図示しない制御部に制御されて、電源からフレキシブルプリント基板４１を介してズームモータに通電される。すると、ズームモータ８１に取り付けられたウォームギア８２が回転し、ギア列８３を介して回転筒６０が回転する。
【００４０】
このようにして回転筒６０が回転すると、カム筒２０は、駆動ピン２０ｂと直進溝６０ｃとの嵌合によって、回転筒６０と一体となって回転する。また、カム筒２０のカムフォロア２０ａと固定筒７０のカム溝７０ａが嵌合しているため、カム筒２０はカム溝７０ａに沿って、回転しながら光軸方向に移動する。このとき、レンズホルダー１０、４０は、直進溝孔部３０ａ、３０ｂによって回転動作が規制されている。
【００４１】
よって、カム筒２０が回転すると、カムフォロア１０ａ、４０ａがカム溝２０ｃ、２０ｄに沿って移動することとなり、レンズホルダー１０、４０は、回転せずに光軸方向に移動する。
【００４２】
このようにしてこのレンズ鏡筒では、レンズホルダーの間隔を変化させることによりズーム動作を行う。
【００４３】
次に、このレンズ鏡筒におけるフォーカス動作を行うための構成について、図４乃至図７を参照して説明する。
【００４４】
このレンズ鏡筒１では、図６に示すように、回転筒６０の内側に、フォーカスレンズを保持する保持部材であるフォーカスレンズホルダー９０を、光軸方向に移動可能に配置する。
【００４５】
また、このレンズ鏡筒１では、回転筒６０の外側に、フォーカスレンズホルダー９０を光軸方向に沿って移動させるねじ送り機構であるフォーカス動作機構を設ける。
【００４６】
そして、このレンズ鏡筒１では、フォーカスレンズホルダー９０から延出した腕部９０ａを、回転筒６０に穿設した切り欠き部６０ｄを通してフォーカス動作機構に接続する。このように構成することにより、回転筒６０の外側に配置されたフォーカス動作機構によって、腕部９０ａを介して回転筒６０の内側に配置されたフォーカスレンズホルダー９０を移動操作するよう構成する。すなわち、フォーカス動作機構を駆動して腕部９０ａを切り欠き部６０ｄの範囲内で移動することにより、フォーカスレンズホルダー９０を光軸方向に移動してフォーカス動作を行う。
【００４７】
このレンズ鏡筒１には、フォーカスレンズホルダー９０が光軸方向に直進するようにガイドする直進ガイド機構を設ける。この直進ガイド機構を構成するため、フォーカスレンズホルダー９０には、腕部９０ａに、フォーカスレンズホルダー９０を光軸方向に直進させるように移動動作させるためのガイド部材８７が装着される。
【００４８】
さらに、フォーカスレンズホルダー９０には、フォーカスレンズホルダー９０の回転を規制する回転制止機構を設ける。この回転制止機構を構成するため、フォーカスレンズホルダー９０の回転を規制するためにベース部材８０に突設された軸部材である回転規制軸８０ａを、腕部９０ａの自由端部に摺動自在に装着する。
【００４９】
また、フォーカスレンズホルダー９０には、回転筒６０の内側に当たる位置に角部を斜状に切欠して滑らかな摺接面に形成したガイド部９０ｅを設ける。
【００５０】
また、このレンズ鏡筒１では、フォーカスレンズホルダー９０を光軸方向の被写体側に付勢するための付勢機構を設ける。この付勢機構を構成するため、フォーカスレンズホルダー９０とベース部材８０の間には、圧縮ばね８６を架設する。
【００５１】
図５及び図７に示すように、フォーカス動作の位置検出手段を構成するため、ベース部材８０には、フォトセンサ８５ｂを配置する。このフォトセンサ８５ｂは、コの字形状の間をフォーカスレンズホルダー９０に設けられた遮断部９０ｂが通過し光を遮断することで、フォーカス動作の位置検出を行うように構成されている。
【００５２】
このレンズ鏡筒１では、回転筒６０の外側に配置されるフォーカス動作機構を構成するため、フォーカスモータ８９の出力軸には、リードスクリュー８９ａが設けられている。
【００５３】
また、フォーカスレンズホルダー９０の腕部９０ａには、ナット部材８８が回転を制止された状態で取り付けられる。このため、図６に示すように、フォーカスレンズホルダー９０の腕部９０ａに突設した回転規制軸９０ｃにナット部材８８を嵌合して回転を制止するよう構成する。
【００５４】
このフォーカス動作機構では、リードスクリュー８９ａにナット部材８８を螺合させてねじ送り機構を構成する。
【００５５】
このレンズ鏡筒１でフォーカス動作機構を動作させる場合には、制御部の制御によって、電源から図示しないフレキシブルプリント基板を介しフォーカスモータ８９に通電して回転駆動することによりリードスクリュー８９ａを回転させる。
【００５６】
すると、リードスクリュー８９ａに螺合するナット部材８８は、回転規制軸９０ｃによって回転が制止されているため、光軸方向に移動することになる。
【００５７】
また、ナット部材８８の撮像面側の面とフォーカスレンズホルダー９０の腕部９０ａとは、付勢バネ８６によって当接する状態を保つように付勢されている。このため、ナット部材８８が被写体側に移動すると、付勢バネ８６の付勢力により、フォーカスレンズホルダー９０は、ナット部材８８に追従して被写体側に移動する。
【００５８】
逆に、ナット部材８８が撮像面側に移動すれば、フォーカスレンズホルダー９０は、ナット部材８８と当接したまま押し込まれることにより撮像面側に移動する。
【００５９】
このようにして、このレンズ鏡筒１では、フォーカスレンズホルダー９０を光軸方向に移動させることにより、フォーカス動作を行う。
【００６０】
なお、フォーカス駆動モーター８９及びズーム駆動モーター８１の制御方法は、従来用いられている公知の技術を利用しているので、その詳細な説明を省略する。
【００６１】
次に、レンズ鏡筒において、被写体を高倍率で撮影可能とし、小型・薄型化し、しかも高速で沈胴動作を可能とするための要部について説明する。
【００６２】
図３に示すように、レンズ鏡筒１では、小型化を図るため、フォーカスモータ８９及びガイド部材８７を、レンズ鏡筒１の外側に配置する。また、このレンズ鏡筒１では、フォーカスレンズホルダー９０の腕部９０ａを、リードスクリュー８９ａと螺合するナット部材８８に当接させるため、レンズ鏡筒１の外側に向かって伸ばす構成を採る。
【００６３】
このように構成することにより、従来のレンズ鏡筒の如く、フォーカスモータとガイド部材を回転筒の内部に配置した場合と比較して、フォーカスレンズホルダーだけでなく、他のレンズホルダーの形状や配置に対するコンパクト化を図ることができる。
【００６４】
次に、レンズ鏡筒のフォーカスストロークを維持したまま小型化を図るための要部について図８を参照して説明する。
【００６５】
図８において、回転筒６０のフォーカスレンズホルダー９０が撮影中に駆動できる範囲をＬ１ａとする。また比較例としてフォーカスモータとガイド部材を回転筒の内部に配置したレンズ鏡筒におけるフォーカスレンズホルダーが撮影中に駆動できる範囲をＬ１ｂとする。この図８に示すものでは、Ｌ１ａ＝Ｌ１ｂである。
【００６６】
また回転筒６０の長さはＬ２とする。なお、フォーカスレンズホルダー９０の腕部９０ａは模式的に示した。
【００６７】
本実施の形態に係わるレンズ鏡筒１では、Ｌ２の長さ内にＬ１ａを配置する構成としている。すなわち、回転筒６０の一部をフォーカスレンズ９０の繰り出し量Ｌ１ａに対応して切り欠き部６０ｄを設ける（繰り出し量以上の範囲に渡って切り欠き部６０ｄを設ける）構成とした。このため、フォーカスモータ８９とガイド部材８７をレンズ鏡筒の外側に配置しても、回転筒６０は長さＬ２を保ち、フォーカスストロークも保つことを可能として小型化を達成している。
【００６８】
これに対して比較例としてのフォーカスモータとガイド部材を回転筒の内部に配置したレンズ鏡筒では、フォーカスレンズホルダー９０と回転筒６０の干渉を避けて、フォーカスレンズホルダー９０のストロークＬ１ｂ分だけ逃がす必要がある。このため、比較例の構成では、回転筒６０の光軸方向の厚みが、長さＬ２に、フォーカスレンズホルダーのストロークＬ１ｂ分だけ加えた長さＬ３となる。
【００６９】
よって、本実施の形態に係わるレンズ鏡筒１では、比較例の構成に対して、フォーカスレンズホルダーのストロークＬ１ｂ分だけ小型化できることになる。これにより、本実施の形態に係わるレンズ鏡筒１では、レンズ鏡筒内部の部品配置の自由度が高まり、径方向・厚み方向の寸法を縮小することができる。
【００７０】
次に、本実施の形態に係わるレンズ鏡筒１で、カメラの電源をＯＦＦにした際の沈胴時間を短縮するための構成について説明する。
【００７１】
図１に示すように、沈胴時間を短縮するためこのレンズ鏡筒１では、回転筒６０の切り欠き部６０ｄの部分に、フォーカスレンズホルダー９０と当接するカム部６０ｅを設けている。また、このレンズ鏡筒１では、電源ＯＦＦ時のフォーカス動作を、一部ズーム動作と連動させて同時に行うことで、沈胴時間を短縮する。
【００７２】
このレンズ鏡筒１では、カメラの電源ＯＦＦ時の動作を、図９に示す動作手順で行う。図９（ａ）に示す通常の撮影可能位置で電源ＯＦＦ操作が行われ、ズーム繰込み動作が行われた場合には、（ｂ）に示すように、回転筒６０のカム部６０ｅとフォーカスレンズホルダー９０の当接部９０ｄが当接する状態に移行する。
【００７３】
さらに、このレンズ鏡筒１では、回転筒６０の動作によって、フォーカスレンズホルダー９０が（ｃ）の沈胴位置まで押し込まれる状態に移行する。また、これと共に、ナット部材８８が繰込まれ（ｄ）の状態となり、電源ＯＦＦ時の処理が終了する。
【００７４】
要するに、このレンズ鏡筒１では、沈胴動作のため、回転筒６０を回転させることにより、カム筒２０のカム溝に沿ってズーム用のレンズを備えた第２レンズホルダー４０をフォーカスレンズホルダー９０側へ移動する。
【００７５】
このとき、回転筒６０の一部にカム辺として形成したカム部６０ｅは、回転筒６０の回転動作によって、フォーカスレンズホルダー９０の腕部９０ａに設けたガイド部９０ｅに摺接し、腕部９０ａを押進めるように従動させる。この動作によって、腕部９０ａに操作されるフォーカスレンズホルダー９０は、圧縮ばね８６の付勢力に抗して沈胴位置へ移動される。
【００７６】
また、このレンズ鏡筒１では、沈胴位置から使用状態へ移動を開始する際に、回転筒６０の回転動作に従ってカム部６０ｅ上を腕部９０ａに設けたガイド部９０ｅが従動する。これにより、フォーカスレンズホルダー９０は、圧縮ばね８６の付勢力によって光軸方向へ移動して使用状態となる。
【００７７】
また、このレンズ鏡筒１では、電源ＯＦＦ時のフォーカス動作を、一部ズーム動作と連動させて同時に行うことで、フォーカスレンズホルダー９０の位置によらずレンズ鏡筒１を繰込むことができる。
【００７８】
このため、従来の如く、カメラの電源をＯＦＦにした際、フォーカスレンズホルダーを繰込み、レンズ鏡筒の繰込めるスペースを確保してから、沈胴させるのと比較して、沈胴時間を短縮できる。
【００７９】
また、本実施の形態に係わるレンズ鏡筒１では、回転筒等のレンズを保持しない部材でフォーカスレンズホルダーを押込むように構成されている。これにより、レンズホルダーがカム溝から脱落するのを抑制し、高速でレンズホルダー同士を当接移動させることができる。
【００８０】
例えば、従来のレンズ鏡筒の如く、他のレンズホルダー（例えば本実施の形態における第２レンズホルダー４０でフォーカスレンズホルダーを押込むように構成すると、レンズホルダーがカム溝から脱落し易くなる。これと共に、このように構成した場合には、レンズホルダーがカム溝から脱落するのを防止するために、高速でレンズホルダー同士を当接移動させることが困難となる。
【００８１】
そこで、本実施の形態に係わるレンズ鏡筒１では、回転筒等のレンズを保持しない部材で押し込むように構成し、レンズホルダーの脱落を防止し、より高速にレンズ鏡筒を駆動可能としている。
【００８２】
次に、本実施の形態に係わるレンズ鏡筒１において、ズーム動作とフォーカス動作の位置検出を、精度よく行うための構成について説明する。
【００８３】
本実施の形態に係わるレンズ鏡筒１では、回転筒を用いてズーム動作とフォーカス動作の位置検出を精度よく行うように構成されている。
【００８４】
このように構成した場合には、レンズホルダを用いて位置検出を行う場合と比較して、回転筒を用いて位置検出することにより当接位置をガイド部材のより近くに設定できる。このため、回転筒を用いて位置検出する場合にはフォーカスレンズホルダーのたわみ量を少なく抑えられるので、レンズホルダを用いて位置検出を行う場合と比較して、精度よく位置検出することができる。
【００８５】
次に、本実施の形態に係わるレンズ鏡筒１でズーム動作とフォーカス動作の位置検出を、別々のフォトセンサを用いて行う場合と、単一のフォトセンサを共用して行う場合と、について説明する。
【００８６】
まず、本実施の形態に係わるレンズ鏡筒１でズーム動作とフォーカス動作の位置検出を別々のフォトセンサを用いて行う場合について説明する。
【００８７】
この場合には、前述した本実施の形態で説明したように、ズーム動作の位置検出を行うフォトセンサ８５ａと、フォーカス動作の位置検出を行うフォトセンサ８５ｂとを用いる。
【００８８】
このように２つのフォトセンサを用いて構成した場合の電源ＯＮ時の動作手順は、図１０（ａ）のフローチャートに示す如くなる。
【００８９】
すなわち、このフォトセンサを２つ使用する場合には、カメラの電源をＯＮにすると、これを検知した図示しない制御部が制御して、ｓｔｅｐ１でズーム繰出し動作を行う。
【００９０】
続いて、制御部は、回転筒６０の遮断部６０ｄがフォトセンサ８５ａを通過したか判定し、フォトセンサ８５ａが遮断され通過したと判定した場合に、制御部がズーム位置を初期化する（ｓｔｅｐ２、ｓｔｅｐ３）。
【００９１】
その後、制御部は、ｓｔｅｐ４でレンズ鏡筒１をｗｉｄｅ位置まで駆動する制御を行う。
【００９２】
次に、制御部は、ｓｔｅｐ５でフォーカスレンズホルダー９０を繰出すよう制御し、ｓｔｅｐ６にてフォトセンサ８５ｂにより位置検出を行う。
【００９３】
次に、制御部は、フォトセンサ８５ｂで位置検出された後に、フォーカス位置を初期化し、フォーカスレンズホルダー９０を所定の位置まで駆動する制御を行い（ｓｔｅｐ７、ｓｔｅｐ８）電源ＯＮ時の処理を終了する。
【００９４】
次に、本実施の形態に係わるレンズ鏡筒１でズーム動作とフォーカス動作の位置検出を単一のフォトセンサを共用して行う場合について説明する。
【００９５】
この場合には、フォーカス動作とズーム動作の連動動作を利用することで、位置検出に必要なフォトセンサを共用するように構成する。
【００９６】
また、この単一のフォトセンサを共用する場合には、ズーム動作とフォーカス動作の連動動作を利用するため、電源ＯＦＦ状態でナット部材８８とフォーカスレンズホルダー９０を図９（ｃ）のように離して停止させた状態にしておく。
【００９７】
この状態で位置検出を単一のフォトセンサを共用して行う場合の電源ＯＮ時の動作手順は、図１０（ｂ）のフローチャートに示す如くなる。
【００９８】
すなわち、この位置検出を単一のフォトセンサを共用して行う場合には、カメラの電源をＯＮにすると、これを検知した図示しない制御部が制御して、ｓｔｅｐ１１でズーム繰出し動作を行う。このときフォーカスレンズホルダー９０は、ナット部材８８と電源ＯＦＦ時にＬ４だけ離れているので、回転筒６０の回転と連動して繰出されていく。
【００９９】
そこで、この連動動作を利用して、フォーカスレンズホルダー９０がフォトセンサ８５ｂを通過したときに、ズーム位置初期化を行う（ｓｔｅｐ１２、ｓｔｅｐ１３）。このため、ナット部材８８に当接するまでのフォーカスレンズホルダー９０の繰出し量Ｌ４は、フォトセンサ８５ｂを完全に通過できるような距離に設定されている。
【０１００】
次に、制御部がｓｔｅｐ１４でレンズ鏡筒１をｗｉｄｅ位置まで繰出すよう制御する。さらに、制御部は、ｓｔｅｐ１５でフォーカスレンズホルダー９０を繰込むよう制御し、ｓｔｅｐ１６にてフォトセンサ８５ｂで位置検出を行うことにより、繰込み動作を完了させる。
【０１０１】
次に、制御部は、ｓｔｅｐ１７でフォーカスレンズホルダー９０を繰出すよう制御し、ｓｔｅｐ１８にてフォトセンサ８５ｂで位置検出を行うことにより、繰出し動作を完了させる。
【０１０２】
次に、制御部は、ｓｔｅｐ１９でフォーカス位置を初期化させ、ｓｔｅｐ２０で所定の位置まで繰出すよう制御し、電源ＯＮ時の処理を終了する。
【０１０３】
上述のようにして、このレンズ鏡筒１では、フォーカス動作とズーム動作の連動動作を利用することにより、フォーカス動作用のフォトセンサ８５ｂを共用できる。よって、ズーム動作用のフォトセンサ８５ａは、廃止でき部品コストを削減できる。
【０１０４】
以上、本発明の好ましい実施の形態について説明したが、本発明はこれらの実施の形態に限定されず、その要旨の範囲内で種々の変形及び変更が可能である。
【符号の説明】
【０１０５】
１    レンズ鏡筒
１０  第１レンズホルダー
２０  カム筒
４０  第２レンズホルダー
６０  回転筒
７０  固定筒
８１  ズームモータ
８６  付勢バネ
９０  フォーカスレンズホルダー
【図１】
2011039387.tif 000003
【図２】
2011039387.tif 000004
【図３】
2011039387.tif 000005
【図４】
2011039387.tif 000006
【図５】
2011039387.tif 000007
【図６】
2011039387.tif 000008
【図７】
2011039387.tif 000009
【図８】
2011039387.tif 000010
【図９】
2011039387.tif 000011
【図１０】
2011039387.tif 000012